(57)【要約】【課題】リレーを通常閉の状態で使用しながらも信頼性が高く、寿命が長く、且つバックアップ用電源を備えることなく、被監視機器側に停電が発生した場合及び被監視機器内の回路に異常が発生した場合のいずれにおいても異常を発報できる発報装置を提供する。【解決手段】被監視機器に異常が発生したことを示す信号が入力されない間は該被監視機器の電源回路が生成する直流の電源電圧Ｖｃｃ１をスイッチング手段Ｒ２に印加し、入力されたときにはこのスイッチング手段への電源電圧の印加を停止するスイッチＳＷ１を備える。スイッチング手段Ｒ２は、電源電圧Ｖｃｃ１が印加されている間は接点Ｒ２ａを閉じ、印加が停止されたときには開くように構成され、電源電圧が喪失したとき及び上記信号が入力されたときのいずれの場合にも接点Ｒ２ａが開き、被監視機器に異常が発生したことが外部に発報される。リレーは好ましくは半導体リレーを用いる。【選択図】　　　　図４
2004046323.tif 000002
【特許請求の範囲】
【請求項１】
被監視機器における異常発生の有無を、端子間の電気的接続状態により外部に発報するスイッチング手段を有する発報装置において、
前記スイッチング手段は被監視機器に異常が発生しない間は前記端子間を閉路させ、被監視機器に異常が発生したときには前記端子間を開路させるように構成され、
前記スイッチング手段は前記端子間を閉路させた状態で連続使用可能な素子からなることを特徴とする発報装置。
【請求項２】
被監視機器における異常発生の有無を、端子間の電気的接続状態により外部に発報するスイッチング手段を有する発報装置において、
被監視機器に異常が発生したことを示す信号が入力されない間は該被監視機器の電源回路が生成する直流の電源電圧を前記スイッチング手段に印加し、前記信号が入力されたときには前記スイッチング手段への前記電源電圧の印加を停止するスイッチを備え、
前記スイッチング手段は、前記電源電圧が印加されている間は前記端子間を閉路させ、前記電源電圧が印加されないときは前記端子間を開路させるように構成され、
停電の発生により前記電源電圧が喪失したとき及び前記信号が入力されたときのいずれの場合においても前記端子間を開路させることにより被監視機器に異常が発生したことを外部に発報可能としたことを特徴とする発報装置。
【請求項３】
前記スイッチング手段は前記端子間を閉路させた状態で連続使用可能な素子からなることを特徴とする請求項２に記載の発報装置。
【請求項４】
前記素子は赤外線発光ダイオードと太陽電池とを含んで構成される半導体リレーであることを特徴とする請求項１から３の何れか一項に記載の発報装置。
【請求項５】
被監視機器における異常発生の有無を、第１のラインに電気的に接続された第１の端子と第２のラインに電気的に接続された第２の端子との間の電気的接続状態により外部に発報するスイッチング手段を有する発報装置において、
被監視機器に異常が発生したことを示す信号が入力されない間は閉じており、該信号が入力されたときには開く接点を含み、
前記スイッチング手段は、その一端が被監視機器の電源回路により生成され所定値より大きい直流の電源電圧に電気的に接続され、他端が前記接点を介して前記第２のラインに電気的に接続されるように構成されるとともに、前記一端と前記他端との間に前記所定値以上の直流電圧が印加されている間は前記第１及び第２の端子間を閉路させ、印加されないときは前記第１及び第２の端子間を開路させるように構成され、
更に、前記第１のラインに前記所定値以上の直流電圧が印加されたときに前記スイッチング手段の前記一端と前記第１のラインとを電気的に接続させる接続手段を含むことを特徴とする発報装置。
【請求項６】
前記接続手段は、直列に接続されたツェナーダイオードとダイオードとからなることを特徴とする請求項５に記載の発報装置。
【請求項７】
請求項５または６に記載の発報装置と、該発報装置の外部から前記第１のラインに前記所定値以上の直流電圧を印加する第１の手段を備える監視装置とを含み、
前記第１の端子と前記第２の端子間が開路されたことを検出した場合、前記第１の手段により前記所定値以上の直流電圧を前記第１のラインに印加し、そのときに前記第１の端子と前記第２の端子間が閉路されるか否かを確認する動作を実行することにより、被監視機器側に停電が発生したかあるいは被監視機器に異常が発生したかを識別できるようにしたことを特徴とする監視システム。
【請求項８】
前記第１の端子と前記第２の端子間が開路されたことを検出したときに、前記動作を自動的に実行する第２の手段を更に含むことを特徴とする請求項７に記載の監視システム。
【請求項９】
前記識別の結果が被監視機器または前記監視装置に自動的に表示されることを特徴とする請求項７または８に記載の監視システム。
【発明の詳細な説明】
【０００１】
【発明の属する技術分野】
この発明は、被監視機器に異常が発生したことを検出し、該異常の発生を遠隔の地にある監視センター等に発報する発報装置、及び発報装置を備える監視システムに関する。
【０００２】
【従来の技術】
発報装置を備える監視システムでは、監視センターは被監視機器における異常の発生を、一般的には発報装置内のリレーの発報接点の開閉の状態の変化に基づいて判断する。図６及び図７を参照してこのような監視システムの回路構成及び動作の一例を説明する。
【０００３】
図６において、７は監視センター、８は発報回路が搭載された被監視機器である。図７のフローチャートに示すように、被監視機器８に異常が発生したことを不図示のセンサが検出すると（ステップＳ１）、スイッチＳＷ１が閉じ（ステップＳ２）、リレーＲ１のコイルに直流電圧Ｖｃｃ１が印加されることによりオンとなってその接点Ｒ１ａが閉じ（ステップＳ３）、リレーＲ２のコイルに直流電圧Ｖｃｃ１が印加されることにより発報接点である接点Ｒ２ａが閉じる（ステップＳ４）。その結果、監視センター７のリレーＲ３に直流電圧Ｖｃｃ２が印加され、その接点Ｒ３ａが閉じ（ステップＳ５）、ブザー１０に直流電圧Ｖｃｃ２が印加され、鳴動する（ステップＳ６）。
【０００４】
ステップＳ１において、異常が発生していない場合にはスイッチＳＷ１は閉じないので図７のステップＳ７〜Ｓ１１に示したように各リレーはオフでありそれらの接点は開いたままであるのでブザー１０は鳴動しない。
尚、ステップＳ１２でブザー１０の鳴動の有無に応じた処理が終了すれば監視プロセスを停止し、終了しない場合はステップＳ１に戻る。
【０００５】
次に、監視システムの発報装置の具体的例として、特開平８−２４６５１５号公報に記載されたビルの受水槽の警報装置を説明する。図８は該警報装置の回路構成を示しており、同図においてＳ１は、受水槽に給水があるときにオンとなるリレー、Ｓ２は水位が下限値以下になるとオンとなるリレーである。このシステムでは、水位が下限値以下となりリレーＳ２がオンとなってその接点Ｓ２ａが閉じ、且つ受水槽への給水が無く、リレーＳ１がオフであり従ってその接点Ｓ１ｂが閉じている時にはリレーＲがオンとなり、発報接点である接点Ｒａが閉じる。その結果、監視センター１３は断水の恐れがあると判断できる。
【０００６】
また、発報装置から発報信号が正しく発報されるか否かを試験する装置も知られている。図９に、特開平１１−１１８１３号公報に記載されたエレベータ監視システムの発報装置の動作を確認する発報信号確認装置の回路構成を示す。この発報信号確認装置は、エレベータで停電が発生してから一定時間が経過したとき、表示灯１７を連続点灯状態から点滅状態に変更させるとともに電話回線を介して監視センターに発報する発報装置の動作を試験するための装置である。
【０００７】
この発報信号確認装置によれば、模擬的に停電を発生させると一定時間経過後、表示灯１７の光を受光する光センサＬＳの受光量は０となり、トランジスタＴＲがオフとなるのでリレーＲ１もオフとなり、その接点Ｒ１ｂが閉じる。その結果リレーＲ２がオンとなり、その接点Ｒ２ａが閉じ、ブザーＢＺ１が鳴動する。この鳴動を確認することにより停電発報が正常に行われると容易に判断できる。尚、タイマーＴは上記一定時間より長い所定の時間が経過したときにブザーＢＺ２を鳴動させるためのものであり、ブザーＢＺ２が鳴動した場合には停電発報が正常に行われないと判断できる。
【０００８】
【発明が解決しようとする課題】
コイルと接点とからなるリレー（以下、メカリレーという）は、接点に開／閉を繰り返させる動作に対しては十分な耐久性を有するが、接点を長期間閉じた状態に置く使用、即ち、通常閉の使用に対しては難がある。例えば、被監視機器が１年間正常な状態にあり、発報接点が１年間閉じていたときに異常が発生した場合、発報接点が接触していた導体に固着して離れず、発報動作が正常に行われない場合がある。
【０００９】
そのため、図８に示した特開平８−２４６５１５号公報に記載のビルの受水槽の警報装置では、給水検知リレーＳ１の接点Ｓ１ｂが状況によっては長期間「閉」の状態に置かれる可能性があり、このリレーＳ１にメカリレーを用いた場合、該リレーに接点不良が発生する可能性がある。そのため警報装置の動作保証期間は実質的には接点Ｓ１ｂの閉状態の許容継続期間で制限され、例えば５年の装置寿命を保証することは困難である。
【００１０】
このような理由から、従来の監視システムでは、一般には図６及び図９を参照して説明したように、発報装置や発報信号確認装置内の異常検出リレーや発報リレーは通常開の状態で使用するようにしている。即ち、従来の監視システムでは、センサが異常を検出したときに検出リレーのコイルに電圧を印加してその接点を「閉」とし、それにより発報リレーのコイルに電圧を印加してその発報接点を［閉］とすることにより、異常発生の発報を行う構成となっている。
【００１１】
しかし、このような構成の従来の監視システムでは、被監視機器側で停電等が発生し、被監視機器への給電が止まった場合には、リレーに印加すべき直流電圧が失われ、接点を閉じることができないので異常の発生（この場合、停電の発生）を発報できず、監視センターで停電の発生を知ることができないという問題がある。
【００１２】
図９に示した特開平１１−１１８１３号公報に記載のエレベータ監視システムの発報装置は監視センターへの停電発報ができる。しかし、充電式のバッテリからなるバックアップ用の直流電源を備える必要があり、保守点検が煩雑になるという問題がある。
【００１３】
本発明は上記問題に鑑みなされたものであり、リレーを通常閉の状態で使用しながらも信頼性が高く、寿命の長い発報装置を提供することを第１の目的とする。
【００１４】
本発明の第２の目的は、バックアップ用電源を備えることなく、被監視機器側に停電が発生した場合及び被監視機器内の回路に異常が発生した場合のいずれにおいても、異常を発報できる発報装置を提供することを目的とする。
【００１５】
本発明の第３の目的は、リレーを通常閉の状態で使用しながらも信頼性が高く、寿命が長く、且つバックアップ用電源を備えることなく、被監視機器側に停電が発生した場合及び被監視機器内の回路に異常が発生した場合のいずれにおいても、異常を発報できる発報装置を提供することを目的とする。
【００１６】
本発明の第４の目的は、バックアップ用電源を備えることなく、被監視機器側に停電が発生した場合及び被監視機器内の回路に異常が発生した場合のいずれにおいても、異常を発報できる発報装置を備える監視システムにおいて、発報が被監視機器の動作異常を知らせるものであるかあるいは被監視機器側の停電の発生を知らせるものであるかを識別できるようにすることである。
【００１７】
【課題を解決するための手段】
上記第１の目的を達成すべく、請求項１に記載の発明は、被監視機器における異常発生の有無を、端子間の電気的接続状態により外部に発報するスイッチング手段を有する発報装置において、
前記スイッチング手段は被監視機器に異常が発生しない間は前記端子間を閉路させ、被監視機器に異常が発生したときには前記端子間を開路させるように構成され、
前記スイッチング手段は前記端子間を閉路させた状態で連続使用可能な素子からなることを特徴とする。
【００１８】
上記第２の目的を達成すべく、請求項２に記載の発明は、被監視機器における異常発生の有無を、端子間の電気的接続状態により外部に発報するスイッチング手段を有する発報装置において、
被監視機器に異常が発生したことを示す信号が入力されない間は該被監視機器の電源回路が生成する直流の電源電圧を前記スイッチング手段に印加し、前記信号が入力されたときには前記スイッチング手段への前記電源電圧の印加を停止するスイッチを備え、
前記スイッチング手段は、前記電源電圧が印加されている間は前記端子間を閉路させ、前記電源電圧が印加されないときには前記端子間を開路させるように構成され、
停電の発生により前記電源電圧が喪失したとき及び前記信号が入力されたときのいずれの場合においても前記端子間を開路させることにより被監視機器に異常が発生したことを外部に発報可能としたことを特徴とする。
【００１９】
上記第３の目的を達成すべく、請求項３に記載の発明は、請求項２に記載の発明において、前記スイッチング手段を前記端子間を閉路させた状態で連続使用可能な素子から構成したことを特徴とする。
【００２０】
請求項４に記載の発明は、請求項１から３の何れか一項に記載の発明において、前記素子は赤外線発光ダイオードと太陽電池とを含んで構成される半導体リレーであることを特徴とする。
【００２１】
上記第４の目的を達成すべく、請求項５に記載の発明は、被監視機器における異常発生の有無を、第１のラインに電気的に接続された第１の端子と第２のラインに電気的に接続された第２の端子との間の電気的接続状態により外部に発報するスイッチング手段を有する発報装置において、
被監視機器に異常が発生したことを示す信号が入力されない間は閉じており、該信号が入力されたときには開く接点を含み、
前記スイッチング手段は、その一端が被監視機器の電源回路により生成され所定値より大きい直流の電源電圧に電気的に接続され、他端が前記接点を介して前記第２のラインに電気的に接続されるように構成されるとともに、前記一端と前記他端との間に前記所定値以上の直流電圧が印加されている間は前記第１及び第２の端子間を閉路させ、印加されないときは前記第１及び第２の端子間を開路させるように構成され、
更に、前記第１のラインに前記所定値以上の直流電圧が印加されたときに前記スイッチング手段の前記一端と前記第１のラインとを電気的に接続させる接続手段を含むことを特徴とする。
【００２２】
請求項６に記載の発明は、請求項５に記載の発明において、前記接続手段が直列に接続されたツェナーダイオードとダイオードとからなることを特徴とする。
【００２３】
上記第４の目的を達成すべく、請求項７に記載の監視システムは、請求項５または６に記載の発報装置と、該発報装置の外部から前記第１のラインに前記所定値以上の直流電圧を印加する第１の手段を備える監視装置とを含み、
前記第１の端子と前記第２の端子間が開路されたことを検出した場合、前記第１の手段により前記所定値以上の直流電圧を前記第１のラインに印加し、そのときに前記第１の端子と前記第２の端子間が閉路されるか否かを確認する動作を実行することにより、被監視機器側に停電が発生したかあるいは被監視機器に異常が発生したかを識別できるようにしたことを特徴とする。
【００２４】
請求項８に記載の発明は、請求項７に記載の監視システムにおいて、前記第１の端子と前記第２の端子間が開路されたことを検出したときに、前記動作を自動的に実行する第２の手段を更に備えたことを特徴とする。
【００２５】
請求項９に記載の発明は、請求項７または８に記載の監視システムにおいて、前記識別の結果が被監視機器または前記監視装置に自動的に表示されることを特徴とする。
【００２６】
【発明の実施の形態】
実施の形態１．
以下に、本発明の実施の形態１に係る発報装置について図１〜図３を参照して説明する。図１において７は監視センター、８は被監視機器である。被監視機器８は、監視対象である映像回路４、機器全体の制御を行うと共に発生した異常を発報すべきか否かを判断する制御回路１、制御回路１の指示に従い異常発生を発報する発報装置２、これらの回路に電源電圧を供給する電源回路３を含む。図２は発報装置２の回路構成と監視センター７の監視回路の回路構成を示している。以下にこの監視システムの動作を、図３のフローチャートを参照して説明する。
【００２７】
制御回路１は被監視機器内の各回路の制御を行うと同時に、各回路の動作状態を監視しており、映像回路４から出力される検知信号の値（「Ｈ」または「Ｌ」）に基づき映像回路４に異常があるか否かを判断する（ステップＳ２０）。
【００２８】
例えば検知信号が「Ｌ」である間は、制御回路１は映像回路４が正常に動作していると判断し、スイッチＳＷ１を「開」に維持するので（ステップＳ２６）、リレーＲ１はオフを維持し、その接点Ｒ１ｂは「閉」となっている（ステップＳ２７）。この場合、リレーＲ２はオン状態を維持し、その接点Ｒ２ａは「閉」であり（ステップＳ２８）、発報経路６を通して監視センター７のリレーＲ３がオンとなり、その接点Ｒ３ｂは開となるため（ステップＳ２９）、ブザー１０は鳴動しない（ステップＳ３０）。
【００２９】
ステップＳ２０において、映像回路４に何らかの異常が発生し、検知信号が「Ｈ」になると制御回路１はスイッチＳＷ１を「閉」とするので（ステップＳ２１）、リレーＲ１がオンとなり、接点Ｒ１ｂは「開」となる（ステップＳ２２）。従ってリレーＲ２はオフとなり、接点Ｒ２ａは「開」となるため（ステップＳ２３）、発報経路６を通して監視センター７のリレーＲ３がオフとなりその接点Ｒ３ｂは閉となる（ステップＳ２４）。これにより、ブザー１０に電源電圧Ｖｃｃ２が印加されて鳴動し（ステップＳ２５）、監視センター７では被監視機器８に何らかの異常が発生したことを知ることができる。
【００３０】
また、正常状態において突然停電が発生した場合（ステップＳ３１）、電源回路３が生成する電源電圧Ｖｃｃ１が０Ｖになるため、上記のステップＳ２２〜ステップＳ２５の動作が生起する。即ち、リレーＲ２がオフし、接点Ｒ２ａが「開」となり、監視センター７のリレーＲ３がオフとなり接点Ｒ３ｂが「閉」となり、ブザー１０が鳴動する。
【００３１】
ステップＳ３１で停電が発生しない場合、異常発生の有無に応じた処理が終了していなければステップＳ２０に戻り、処理が終了すれば監視プロセスを終える（ステップＳ３２）。
【００３２】
このように、本実施形態の監視システムでは、被監視機器８が停電となり通常では発報できない状態となっても、監視センターのブザー１０を鳴動させ、何等かの異常が発生したことを発報することができる。
【００３３】
本実施形態の発報装置では、接点が閉状態に長期間継続して置かれる使用の場合も含め、その動作保証を“７年”とした半導体（ＭＯＳ）リレーを使用している。この半導体リレーは１次側に赤外線発光ダイオード、２次側に太陽電池からなる受光素子を有する構成であり、オン状態及びオフ状態の継続に強いだけでなく、経年による出力側のオン抵抗の変化が少ないため、７年以上の動作を保証することが可能となっている。この半導体リレーを使用する発報装置の採用により、被監視機器８本体の寿命５年を実現している。
【００３４】
本実施形態では、発報装置のリレーに半導体リレーを使用しているが、接点が長期間継続して閉の状態を維持できるのであれば、半導体リレーに限らず、メカリレーを含め、他の任意のタイプのリレーを使用することができる。また、十分な寿命及び信頼性を有するものであれば、リレーに代えてオン／オフの情報を伝達できる任意のデバイスを使用することができる。
【００３５】
また、本実施形態では、停電発報を含め、異常発報時の論理を接点「開」としたが、これに限らず、停電も含めた異常発報が可能であれば、異常発報時の論理を接点「閉」としてもよい。
【００３６】
実施の形態２．
次に本発明の実施の形態２に係る発報装置を図４及び図５を参照して説明する。図４は被監視機器８に備えられる本実施形態の発報装置の回路構成、及び監視センター７の監視回路の回路構成を示している。被監視機器８は、図１に示した実施の形態１と同じ構成を有するので説明は省略する。
【００３７】
被監視機器８内の電源回路３は、発報装置２を含め、内部の各回路に電源電圧Ｖｃｃ１を供給している。本実施の形態２の発報装置は、何らかの原因により停電が発生し、電源電圧Ｖｃｃ１が０Ｖとなったとき、ダイオード２０を介して電源電圧Ｖｃｃ１に接続されているレーＲ２がオフとなり、接点保護抵抗２４を介して発報経路６に接続されている接点Ｒ２ａが開く構成となっている。また、ダイオード２０及びリレーＲ２の接続点と発報経路６との間にはダイオード２１及びツェナーダイオード２２が直列に接続されている。また、監視センター７は、スイッチＳＷ２を介して発報経路６に直流電圧Ｖｃｃ３を印加できる構成となっている。
ここで、ツェナーダイオード２２の降伏電圧と直流電圧の値Ｖｃｃ１、Ｖｃｃ２，Ｖｃｃ３とは以下の関係を満たしている。
Ｖｃｃ３＞ツェナーダイオード２２の降伏電圧＞Ｖｃｃ２＝Ｖｃｃ１
【００３８】
正常状態では、検知信号は「Ｌ」であり、スイッチＳＷ１は「開」であるためリレーＲ１はオフを維持し、接点Ｒ１ｂは「閉」となるためリレーＲ２はオンを維持する。これにより、接点Ｒ２ａは「閉」となるため、発報経路６に保護ダイオード２６を介して接続されている監視センター７のリレーＲ３がオンとなるため接点Ｒ３ｂは「開」であり、ブザー１０は鳴動しない。
【００３９】
被監視機器８の映像回路４に何らかの異常が発生したとすると、検知信号が「Ｈ」となり、スイッチＳＷ１は「閉」となるのでリレーＲ１がオン、接点Ｒ１ｂが「開」となり、リレーＲ２はオフとなる。これにより、接点Ｒ２ａは「開」となり発報経路６を通して監視センター７のリレーＲ３がオフとなって接点Ｒ３ｂが「閉」となるので、ブザー１０が鳴動する。これにより監視センター７では被監視機器８に何らかの異常が発生したことを知ることができる。
【００４０】
また、正常状態から突然停電が発生し、被監視機器８への給電が止まった場合には、直流電圧Ｖｃｃ１が０Ｖになるため、リレーＲ２はオフとなる。従って、接点Ｒ２ａは「開」となり、その結果、監視センター７のリレーＲ３がオフとなり接点Ｒ３ｂが「閉」となるため、ブザー１０を鳴動させることができる。
【００４１】
以上の動作は、図３のフローチャートを参照して説明した実施の形態１の動作と同様であり、実施の形態２においても被監視機器８側に停電が発生し、通常の発報回路では発報できない状態となっても、接点Ｒ２ａの「閉」から「開」への変化が発報経路６を通して監視センター７に伝達され、ブザー１０が鳴動し、被監視機器８に異常が発生したことを知ることができる。
【００４２】
但し、この段階では、このブザー１０が被監視機器８側に停電が発生したことにより鳴動しているのか、あるいは映像回路４に異常が発生したことにより鳴動しているかは区別することはできない。
【００４３】
本実施の形態２では、監視センター側でスイッチＳＷ２を閉じることによりその区別が可能である。以下にスイッチＳＷ２を閉じたときの監視システムの動作を図５のフローチャートを参照して説明する。
【００４４】
まず、監視センター７のブザー１０が鳴動したとすると（ステップＳ４０）、監視員がスイッチＳＷ２を閉じ（ステップＳ４１）、発報経路６に直流電圧Ｖｃｃ−３を印加する。このとき、Ｖｃｃ３＞ツェナーダイオード２２の降伏電圧＞Ｖｃｃ２＝Ｖｃｃ１の関係があるため、ツェナーダイオード２２が導通し（ステップＳ４２）、ダイオード２１が導通（ステップＳ４３）する。
【００４５】
このとき、停電が発生したことによりブザー１０が鳴動しているのであれば、リレーＲ１はオフであり接点Ｒ１ｂは「閉」である。従って、停電発生時にスイッチＳＷ２が閉じられると接点Ｒ１ｂは「閉」であることから（ステップＳ４５）、リレーＲ２にはツェナーダイオード２２の降伏電圧にほぼ等しい電圧が印加されてオンとなり、接点Ｒ２ａが「閉」となるため（ステップＳ４６）、リレーＲ３がオンとなり接点Ｒ３ｂが「開」となり（ステップＳ４７）、ブザー１０の鳴動が止まる（ステップＳ４８）。この場合、通常閉の接点Ｒ１ｂが「閉」であるにも拘わらずブザー１０が鳴動したのであるから、被監視機器側で停電が発生したと推測される（ステップＳ４９）。
【００４６】
逆に、映像回路４に異常が発生したことによりブザー１０が鳴動しているのであれば、リレーＲ１はオンであり接点Ｒ１ｂは「開」となっている。従って、停電以外の異常発生時にスイッチＳＷ２を閉じても接点Ｒ１ｂは「開」であることから（ステップＳ４５）、リレーＲ２はオフのままであり接点Ｒ２ａも「開」のままであり（ステップＳ５０）、リレーＲ３はオフ、接点Ｒ３ｂも「閉」のままであり（ステップＳ５１）、ブザー１０の鳴動は止らない（ステップＳ５２）。この場合、スイッチＳＷ２を閉じてもブザー１０の鳴動が止まらないのであるから通常閉の接点Ｒ１ｂが「開」であり、映像回路４に異常が発生したと推測される（ステップＳ５２）。
【００４７】
以上説明したように、本実施の形態２では、ブザー１０が鳴動したとき、スイッチＳＷ２を押し、ブザー１０の鳴動が止まるか否かを確認することにより、発報内容の確認、即ち、被監視機器からの発報が被監視機器側の停電を報知しているのかあるいは回路の異常を報知しているのかを区別することができる。
【００４８】
尚、本実施の形態２では、監視センター７側の監視員の手動操作によって発報内容の確認を行っているが、発報があった時点で監視センター７側でこの操作を自動的に行うようにし、その結果を自動的に表示するようにしてもよい。例えば、リレーＲ３がオフの状態（ブザー１０が鳴動している状態）で、スイッチＳＷ２を自動的に閉じ、そのときにリレーＲ３がオンとなるか否かを検出し、オンにならなければ、監視センター７または被監視機器８側で機器異常を知らせるランプを点灯させ、逆にスイッチＳＷ２を閉じたときにリレーＲ３がオンとなれば、監視センター７または被監視機器８側で停電状態を知らせるランプを点灯させるようにしてもよい。
【００４９】
また、本実施の形態２では、停電発報を含め、異常発報時の論理を接点「開」としたが、これに限らず、停電も含めた異常発報が可能であれば、異常発報時の論理を接点「閉」としてもよい。
【００５０】
【発明の効果】
請求項１、４に記載の発明によれば、リレーを通常閉の状態で使用しながらも信頼性が高く、寿命の長い発報装置が提供される。
【００５１】
請求項２に記載の発明によれば、バックアップ用電源を備えることなく、被監視機器側に停電が発生した場合及び被監視機器内の回路に異常が発生した場合のいずれにおいても異常を発報できる発報装置が提供される。
【００５２】
請求項３に記載の発明によれば、リレーを通常閉の状態で使用しながらも信頼性が高く、寿命が長く、且つバックアップ用電源を備えることなく、被監視機器側に停電が発生した場合及び被監視機器内の回路に異常が発生した場合のいずれにおいても異常を発報できる発報装置が提供される。
【００５３】
請求項５，６，７，８，９に記載の発明によれば、バックアップ用電源を備えることなく、被監視機器側に停電が発生した場合及び被監視機器内の回路に異常が発生した場合のいずれにおいても異常を発報できる発報装置を備える監視システムにおいて、発報が被監視機器の動作異常を知らせるものであるかあるいは被監視機器側の停電の発生を知らせるものであるかを識別することが可能となり、機器の保守が容易になる。
【図面の簡単な説明】
【図１】本発明の実施の形態１に係る発報装置を備える被監視機器の内部構成を示す図である。
【図２】実施の形態１の発報装置の回路構成及び監視センターの監視回路の回路構成を示す図である。
【図３】実施の形態１の発報装置の動作、及び監視センターの監視回路の動作を説明するフローチャートである。
【図４】本発明の実施の形態２に係る発報装置の回路構成及び監視センターの監視回路の回路構成を示す図である
【図５】実施の形態２の発報装置の動作、及び監視センターの監視回路の動作を説明するフローチャートである。
【図６】従来の発報装置の回路構成例、及び監視センターの監視回路の回路構成例を示す図である。
【図７】図６の発報装置、及び監視センターの監視回路の動作を説明するフローチャートである。
【図８】ビルの受水槽用の発報回路の回路構成を示す図である。
【図９】エレベータの停電発報装置の試験装置の回路構成を示す図である。
【符号の説明】
１　制御回路、　２　発報装置、　３　電源回路、　４　映像回路、　６　発報経路、　７　監視センター、　８　被監視機器、　１０　ブザー、　２０　保護ダイオード、　２１　ダイオード、　２２　ツェナーダイオード、　２４　接点保護抵抗、　２６　保護ダイオード、　Ｒ１，Ｒ２，Ｒ３　リレー。
【図１】
2004046323.tif 000003
【図２】
2004046323.tif 000004
【図３】
2004046323.tif 000005
【図４】
2004046323.tif 000006
【図５】
2004046323.tif 000007
【図６】
2004046323.tif 000008
【図７】
2004046323.tif 000009
【図８】
2004046323.tif 000010
【図９】
2004046323.tif 000011